(57)【要約】      （修正有）【課題】ＭＥＭＳディスプレイにおける電力消費を低減する方法及びシステムを提供する。【解決手段】表示状態によって特徴付けられる複数の表示素子を含むディスプレイを駆動することを含み、第１の動作モードでは、実質的に全ての表示素子の表示状態は、第１の一連の画像フレームを表示するように定期的に再設定され、第２の動作モードに変わると、第２の動作モードでは、前記第１の一連の画像フレームを表示するのに使用される前記表示素子の解像度よりも低い表示素子の解像度で、第２の一連の画像フレームを表示する。【選択図】図７
2006099106.tif 000002
【特許請求の範囲】
【請求項１】
表示状態によって特徴付けられる複数の表示素子を含むディスプレイを更新する方法であって、
第１の動作モードにおいて、第１のフレーム更新レートで、実質的に全ての前記表示素子の前記表示状態を定期的に再設定して、第１の一連の画像フレームを表示することと、
第２のフレーム更新レートで、前記表示素子の第１の部分の前記表示状態を定期的に再設定することと、前記第２のフレーム更新レートよりも低い第３のフレーム更新レートで、前記表示素子の残りの部分の前記表示状態を定期的に再設定することとを含む第２の動作モードに変更することとを含み、
第２のモードにおいて、第２の一連の画像フレームが、前記第１の一連の画像フレームを表示するのに使用される前記表示素子の解像度よりも低い表示素子の解像度で表示される方法。
【請求項２】
前記第１のフレーム更新レートが、前記第２のフレーム更新レートと同じである請求項１記載の方法。
【請求項３】
前記第３のフレーム更新レートが、時間にしたがって変化する請求項１記載の方法。
【請求項４】
前記第３のフレーム更新レートが、前記第２の一連の画像フレームに少なくとも部分的に基づいて変化する請求項１記載の方法。
【請求項５】
前記表示素子の前記残りの部分の前記表示状態を定期的に再設定することが、前記第２の一連の画像フレームの中の少なくとも１つに少なくとも部分的に基づいて前記表示状態を判断することを含む請求項１記載の方法。
【請求項６】
前記第２の動作モードへの前記変更が、前記表示素子の前記残りの部分の前記表示状態を再設定することを含む請求項１記載の方法。
【請求項７】
前記第２の動作モードが、前記第１のモードよりも少ない電力を消費する請求項１記載の方法。
【請求項８】
前記第２の動作モードが、低バッテリ状態のもとで使用される請求項１記載の方法。
【請求項９】
前記第２の動作モードが、動画データを表示するのに使用される請求項１記載の方法。
【請求項１０】
前記第２の動作モードが、前記第１の動作モードと比べて、低減された色域を表示する請求項１記載の方法。
【請求項１１】
前記第２の動作モードが、前記第１の動作モードと比べて、低減されたグレースケールを表示する請求項１記載の方法。
【請求項１２】
前記複数の表示素子が、行および列に配列されたＭＥＭＳアレイを含み、前記残りの部分が、列の選択されたサブセットを含む請求項１記載の方法。
【請求項１３】
前記複数の表示素子が、行および列のＭＥＭＳアレイを含み、前記残りの部分が、行の選択されたサブセットを含む請求項１記載の方法。
【請求項１４】
所定の基準に基づいて、前記第１の動作モードおよび前記第２の動作モードから選択することをさらに含む請求項１記載の方法。
【請求項１５】
前記所定の基準が、電力使用データを含む請求項１４記載の方法。
【請求項１６】
前記所定の基準が、バッテリ状態データを含む請求項１４記載の方法。
【請求項１７】
前記所定の基準が、ユーザ選択を含む請求項１４記載の方法。
【請求項１８】
前記所定の基準が、前記画像フレームの分類を含む請求項１４記載の方法。
【請求項１９】
前記分類が、動画データとして前記画像フレームの分類を含む請求項１８記載の方法。
【請求項２０】
画像データを表示するシステムであって、
画像データを表示するときに、複数の動作モードの少なくともいくつかが、低減された表示素子の解像度に対応する、複数の動作モードをもつディスプレイと、
前記ディスプレイ装置が動作しているモードに少なくとも部分的に依存するデータレートで、画像データを前記ディスプレイ装置に供給するように構成された画像データ源とを含むシステム。
【請求項２１】
前記ディスプレイと電気的に通信し、供給された画像データを処理するように構成されたプロセッサと、
前記プロセッサと電気的に通信するメモリ装置とをさらに含む請求項２０記載のシステム。
【請求項２２】
少なくとも１つの信号を前記ディスプレイに送るように構成されたドライバ回路をさらに含む請求項２１記載のシステム。
【請求項２３】
前記画像データの少なくとも一部分を前記ドライバ回路に送るように構成された制御装置をさらに含む請求項２２記載のシステム。
【請求項２４】
画像データ源が、前記画像データを前記プロセッサに送るように構成されている請求項２１記載のシステム。
【請求項２５】
前記画像データ源が、受信機、トランシーバ、および送信機の中の少なくとも１つを含む請求項２４記載のシステム。
【請求項２６】
入力データを受信して、前記入力データを前記プロセッサへ通信するように構成されている入力装置をさらに含む請求項２１記載のシステム。
【請求項２７】
前記動作モードの少なくとも一方において、前記ディスプレイ装置が、前記第１の動作モードと比べて、低減された色域を表示する請求項２０記載のシステム。
【請求項２８】
通信ネットワークをさらに含むシステムであって、前記画像データ源が、前記通信ネットワーク上で前記画像データを供給するように構成されている請求項２０記載のシステム。
【請求項２９】
前記画像データ源が、前記動作モードを制御するように構成されている請求項２８記載のシステム。
【請求項３０】
前記動作モードが、前記通信ネットワークのデータレートに少なくとも部分的に基づいて選択される請求項２８記載のシステム。
【請求項３１】
前記動作モードが、前記通信ネットワークによって使用されるデータレートに少なくとも部分的に基づいて選択される請求項３０記載のシステム。
【請求項３２】
前記動作モードの少なくとも一方において、前記ディスプレイ装置が、前記第１の動作モードと比べて、低減されたグレースケールを表示する請求項２０記載のシステム。
【請求項３３】
前記ディスプレイ装置が、複数の表示素子を含み、前記動作モードの少なくとも１つが、表示素子の一部の表示状態を再設定することを含む請求項２０記載のシステム。
【請求項３４】
画像データ源が、表示素子の残りの部分を再設定する表示状態を供給するようにも構成されている請求項３３記載のシステム。
【請求項３５】
表示素子の前記一部が、第１の組の行を含む請求項３３記載のシステム。
【請求項３６】
前記画像データが、動画データを含む請求項２０記載のシステム。
【請求項３７】
ディスプレイを更新する方法であって、
ディスプレイ書込み動作中に、一連の行電圧ストローブを、表示素子の第１の組の行に印加して、前記第１の組の行の表示素子を選択された状態に構成することと、
受信した表示データにしたがってディスプレイの残りの行を設定する後のディスプレイ書込み動作中に、前記第１の組の行への後の行電圧ストローブをスキップすることとを含む方法。
【請求項３８】
前記後の行電圧ストローブをスキップすることが、低バッテリ状態のもとで行われる請求項３７記載の方法。
【請求項３９】
前記後の行電圧ストローブをスキップすることが、低減された色域を表示することを含む請求項３７記載の方法。
【請求項４０】
前記後の行電圧ストローブをスキップすることが、前記第１の動作モードと比べて、低減されたグレースケールレベルを表示することを含む請求項３７記載の方法。
【請求項４１】
画像データに少なくとも部分的に基づいて、前記選択された状態を判断することをさらに含む請求項３７記載の方法。
【請求項４２】
ディスプレイを更新する方法であって、
ディスプレイ書込み動作中に、１組の列電圧を表示素子の第１の組の列に印加して、前記第１の組の列の表示素子を選択された状態に構成することと、
受信した表示データにしたがってディスプレイの残りの列を設定する後のディスプレイ書込み動作中に、前記第１の組の列への後の列の遷移をスキップすることとを含む方法。
【請求項４３】
前記後の列の遷移をスキップすることが、低バッテリ状態のもとで行われる請求項４２記載の方法。
【請求項４４】
前記後の列の遷移をスキップすることが、低減された色域を表示することを含む請求項４２記載の方法。
【請求項４５】
前記後の列の遷移をスキップすることが、前記第１の動作モードと比べて、低減されたグレースケールを表示することを含む請求項４２記載の方法。
【請求項４６】
画像データに少なくとも部分的に基づいて、前記選択された状態を判断することをさらに含む請求項４２記載の方法。
【請求項４７】
ディスプレイ装置の表示解像度を低減することと、
ディスプレイ装置の低減された表示解像度に対応する解像度をもつ、表示に適したビデオデータを受信することとを含む方法。
【請求項４８】
表示素子のアレイをもつディスプレイと、
ディスプレイ書込み動作中に、アレイ内の第１の組の行または列に一連の電圧ストローブを印加するように構成されているドライバ回路であって、受信した表示データにしたがってディスプレイの残りの行または列を設定する少なくとも１回の後のディスプレイ書込み動作中に、前記第１の組の行または列への後の行または列電圧ストローブをスキップするように構成されているドライバ回路とを含むシステム。
【請求項４９】
前記ディスプレイと電気的に通信し、供給された画像データを処理するように構成されているプロセッサと、
前記プロセッサと電気的に通信するメモリ装置とをさらに含む請求項４８記載のシステム。
【請求項５０】
前記画像データの少なくとも一部分を前記ドライバ回路に送るように構成されている制御装置をさらに含む請求項４９記載のシステム。
【請求項５１】
前記画像データを前記プロセッサに送るように構成されている画像源をさらに含む請求項４９記載のシステム。
【請求項５２】
前記画像源が、受信機、トランシーバ、および送信機の中の少なくとも１つを含む請求項５１記載のシステム。
【請求項５３】
入力データを受信し、前記入力データを前記プロセッサに通信するように構成された入力装置をさらに含む請求項４９記載のシステム。
【請求項５４】
ディスプレイ書込み動作中に、一連の電圧ストローブを、表示素子のアレイの第１の部分に印加することと、
受信した表示データにしたがってアレイの残りの部分を設定する少なくとも１回の後のディスプレイ書込み動作中に、前記第１の部分への後のストローブをスキップすることとを含む方法。
【請求項５５】
ビデオデータを表示する手段と、
ディスプレイ書込み動作中に一連の電圧ストローブを表示手段の一部分へ印加する手段であって、受信した表示データにしたがって表示手段を設定する少なくとも１回の後のディスプレイ書込み動作中に、前記部分への後のストローブをスキップするように構成されている印加手段とを含むシステム。
【請求項５６】
表示手段が、表示素子を含む請求項５５記載のシステム。
【請求項５７】
印加手段が、駆動回路を含む請求項５５記載のシステム。
【請求項５８】
画像データを表示するシステムであって、
画像データを表示するときに、複数の動作モードの少なくともいくつかが、低減された表示素子の解像度に対応している、ディスプレイにおける複数の動作モードを供給する第１の手段と、
前記ディスプレイ装置が動作しているモードに少なくとも部分的に依存するデータレートで、画像データを前記第１の供給手段に供給する第２の手段とを含むシステム。
【請求項５９】
第１の供給手段が、駆動回路を含む請求項５８記載のシステム。
【請求項６０】
第２の供給手段が、サーバを含む請求項５８記載のシステム。
【発明の詳細な説明】
【背景技術】
【０００１】
超小型電子機械システム（ＭＥＭＳ）は、超小型機械素子、アクチュエータ、および電子機器を含む。超小型機械素子は、蒸着、エッチング、および／または他の微細機械加工処理を使用して、基板および／または蒸着材料層の一部をエッチングで取去るか、または電子および電子機械装置を形成する層を加えて、生成される。ＭＥＭＳ装置の１つのタイプは、干渉変調器と呼ばれる。干渉変調器は、一対の導電板を含み、その一方または両方は、全体的または部分的に透過性または反射性、あるいはこの両者であり、適切な電気信号を加えると、相対運動をすることができる。一方の板は、基板上に蒸着された静止層から成り、他方の板は、静止層からエアギャップ分離れた金属膜から成る。このような装置には、多様な応用例があり、既存の製品を向上し、まだ開発されていない新しい製品を生成することに、これらのタイプの装置の特徴を利用できるようにするために、その特性を使用、または変更、あるいはこの両者を行なうことが、この分野において有益である。
【発明の開示】
【課題を解決するための手段】
【０００２】
本発明のシステム、方法、および装置の各々には、幾つかの態様があるが、その何れも、単独では、その望ましい属性を担わない。ここで、本発明の技術的範囲を制限することなく、そのより顕著な特徴を簡潔に記載する。この記載について検討した後で、とくに“発明を実施するための最良の形態”というタイトルの段落を読んだ後で、本発明の特徴が、他のディスプレイ装置よりもどのように優れているかが分かるであろう。
【０００３】
１つの実施形態は、ディスプレイを更新する方法を含む。ディスプレイは、表示状態によって特徴付けられる複数の表示素子を含む。方法は、第１の動作モードでは、第１のフレーム更新レートで、実質的に全ての前記表示素子の前記表示状態を定期的に再設定して、第１の一連の画像フレームを表示することを含む。方法は、第２の動作モードに変更することも含む。第２の動作モードでは、第２のフレーム更新レートで、前記表示素子の第１の部分の前記表示状態を定期的に再設定し、前記第２のフレーム更新レートよりも低い第３のフレーム更新レートで、前記表示素子の残りの部分の前記表示状態を定期的に更新する。前記第２のモードでは、前記第１の一連の画像フレームを表示するのに使用される前記表示素子の解像度よりも低い表示素子の解像度で、第２の一連の画像フレームを表示する。
【０００４】
別の実施形態は、画像データを表示するシステムを含む。システムは、画像データを表示するときに、複数の動作モードの少なくともいくつかが、低減された表示素子の解像度に対応している、複数の動作モードをもつディスプレイと、ディスプレイ装置が動作しているモードに少なくとも部分的に依存するデータレートで、画像データを前記ディスプレイ装置に供給するように構成された画像データ源とを含む。
【０００５】
別の実施形態は、ディスプレイを更新する方法を含む。方法は、ディスプレイ書込み動作中に、一連の行電圧ストローブを、表示素子の第１の組の行に印加して、前記第１の組の行内の表示素子を選択された状態に構成することを含む。方法は、受信した表示データにしたがってディスプレイの残りの行を設定する後のディスプレイ書込み動作中に、前記第１の組の行への後の行電圧ストローブをスキップすることも含む。
【０００６】
別の実施形態は、ディスプレイを更新する方法を含む。方法は、ディスプレイ書込み動作中に、１組の列電圧を、表示素子の第１の組の列へ印加して、前記第１の組の列内の表示素子を選択された状態に構成することを含む。方法は、受信した表示データにしたがってディスプレイの残りの列を設定する後のディスプレイ書込み動作中には、前記第１の組の列への後の列の遷移をスキップすることも含む。
【０００７】
別の実施形態は、方法を含む。方法は、ディスプレイ装置の表示解像度を低減することと、ディスプレイ装置の低減された表示解像度に対応する解像度をもつ、表示に適したビデオデータを受信することとを含む。
さらに別の実施形態は、システムを含む。システムは、表示素子のアレイをもつディスプレイと、ディスプレイ書込み動作中に、アレイ内の第１の組の行または列に一連の電圧ストローブを印加するように構成されたドライバ回路とを含む。ドライバ回路は、受信した表示データにしたがって、ディスプレイの残りの行または列を設定する少なくとも１回の後のディスプレイ書込み動作中に、前記第１の組の行または列への後の行または列の電圧ストローブをスキップするように構成されている。
【０００８】
さらに別の実施形態は、方法を含む。方法は、ディスプレイ書込み動作中に、一連の電圧ストローブを、表示素子のアレイの第１の部分へ印加することを含む。方法は、受信した表示データにしたがって、アレイの残りの部分を設定する少なくとも１回の後のディスプレイ書込み動作中は、前記第１の部分への後のストローブをスキップすることも含む。
【０００９】
さらに別の実施形態は、システムを含む。システムは、ビデオデータを表示する手段と、ディスプレイ書込み動作中に、一連の電圧ストローブを表示手段の一部分へ印加する手段とを含む。印加手段は、受信した表示データにしたがって表示手段を設定する少なくとも１回の後のディスプレイ書込み動作中は、前記部分への後のストローブをスキップするように構成されている。
【００１０】
さらに別の実施形態は、画像データを表示するシステムを含む。システムは、画像データを表示するとき、複数の動作モードの少なくともいくつかが、低減された表示素子の解像度に対応する、ディスプレイにおける複数の動作モードを供給する第１の手段と、前記ディスプレイ装置が動作しているモードに少なくとも部分的に依存するデータレートで、画像データを前記第１の供給手段に供給する第２の手段とを含む。
【発明を実施するための最良の形態】
【００１１】
１つの実施形態は、複数の表示素子を含むディスプレイの電力消費を低減するように、ディスプレイを駆動する方法である。第１の動作モードでは、実質的に全ての表示素子の表示状態は、第１の一連の画像フレームを表示するように、定期的に再設定される。第２の動作モードに変わると、第２の動作モードは、表示素子の第１の部分のみの表示状態を再設定して、前記第１の一連の画像フレームを表示するのに使用される前記表示素子の解像度よりも低い表示素子の解像度で、第２の一連の画像フレームを表示することとを含む。低減された表示素子の解像度は、ディスプレイの色域を低減する。１つの実施形態では、表示素子の残りの部分の表示状態は、第１の部分を再設定するレートよりも低いレートで再設定される。
【００１２】
次の詳細な記述は、本発明のある特定の実施形態に関する。しかしながら、本発明は、多数の異なるやり方で具現することができる。この記述では、同じ部分が全体を通して同じ参照番号で示されている図面を参照する。以下の記述から明らかになるように、本発明は、画像を、動作状態（例えば、ビデオ）または静止状態（例えば、静止画像）で、およびテキスト（textrial）またはピクチャー(pictrial)で表示するように構成された任意の装置において実行される。より詳しくは、本発明は、種々の電子装置、制限はしないが、例えば、移動電話、無線装置、パーソナルデータアシスタント（personal data assistant, PDA）、ハンドヘルドまたはポータブルコンピュータ、ＧＰＳ受信機／ナビゲータ、カメラ、ＭＰ３プレーヤ、カムコーダ、ゲームコンソール、腕時計、クロック、計算器、テレビジョンモニタ、フラットパネルディスプレイ、コンピュータモニタ、自動車のディスプレイ（例えば、オドメータディスプレイ、など）、コックピットの制御装置および／またはディスプレイ、カメラビューのディスプレイ（たとえば、車両内のバックミラーカメラのディスプレイ）、電子写真、電子ビルボードまたは看板、プロジェクタ、アーキテクチャ構造、パッケージング、および美しい構造（たとえば、宝石の画像ディスプレイ）において、またはそれらと関係付けて実行されると考えられる。この中に記載されているものと同様の構造のＭＥＭＳ装置は、電子切換え装置のような、ディスプレイのない応用にも使用できる。
【００１３】
干渉ＭＥＭＳ表示素子を含む１つの干渉変調器ディスプレイの実施形態は、図１に示されている。これらの装置において、画素は、明るい状態か、または暗い状態である。明るい（“オン”または“開”）状態では、表示素子は、ユーザへ入射可視光の大きい部分を反射する。暗い（“オフ”または“閉”）状態では、表示素子は、入射可視光をユーザへほとんど反射しない。実施形態によると、“オン”または“オフ”状態の光反射特性は、逆である。ＭＥＭＳの画素は、選択された色において、ほとんど反射するように構成され、黒および白に加えて、カラー表示を可能にしている。
【００１４】
図１は、ビジュアルディスプレイの一連の画素内の２つの隣り合う画素を示す等角投影図であり、各画素は、ＭＥＭＳ干渉変調器を含んでいる。いくつかの実施形態では、干渉変調器ディスプレイは、これらの干渉変調器の行／列アレイを含む。各干渉変調器は、１対の反射層を含み、これらは、互いに可変で制御可能な距離を置いて位置し、少なくとも１つの可変寸法の共振光空洞を形成する。１つの実施形態では、反射層の一方が、２つの位置の間を移動する。この中で解放状態と呼ばれる第１の位置では、可動層は、固定の部分反射層から比較的に大きい距離を置いて位置する。第２の位置では、可動層は、部分反射層により密接に隣り合って位置する。２つの層から反射する入射光は、可動反射層の位置に依存して、建設的または破壊的に干渉して、各画素ごとに全反射状態または無反射状態を生成する。
【００１５】
図１の画素アレイの記載された部分は、２つの隣り合う干渉変調器12aおよび12bを含む。左側の干渉変調器12aには、可動高反射層14aが、固定の部分反射層16aから所定の距離を置いた解放位置に示されている。右側の干渉変調器12bには、可動高反射層14bが、固定の部分反射層16bに隣り合う動作位置に示されている。
【００１６】
固定層16a、16bは、導電性で、部分透明で、部分反射性であり、例えば、透明基板20上に、クロムおよびインジウムスズ酸化物の1つ以上の層をそれぞれ蒸着させることによって組立てられる。層は、平行なストリップへパターン化され、別途記載されるように、ディスプレイ装置内に行電極を形成する。可動層14a、14bは、支柱18の上部に蒸着された（行電極16a、16bに直交する）蒸着金属層と、支柱18間に蒸着された介在犠牲材料との一連の平行のストリップとして形成される。犠牲材料がエッチングで取り除かれると、変形可能な金属層は固定金属層から規定のギャップ19分離れる。変形可能な層には、アルミニウムのような高導電性で反射性の材料が使用され、これらのストリップは、ディスプレイ装置において列電極を形成する。
【００１７】
電圧が印加されていないときは、空洞19が層14aと16aとの間に残り、図１の画素12aによって示されているように、変形可能な層は機械的解放状態である。しかしながら、電位差が、選択された行および列に加えられると、対応する画素の行および列電極の交点に形成されたコンデンサが充電され、静電力が電極を一緒に引張る。電圧が十分に大きいときは、図１の右側の画素12bによって示されているように、可動層が変形し、固定層に押し付けられる（この図には示されていない誘電体材料を、固定層上に蒸着し、短絡を防ぎ、分離距離を制御してもよい）。動作は、加えられる電位差の極性にかかわらず、同じである。このようにして、反射対無反射の画素状態を制御することができる行／列の動作は、従来のＬＣＤおよび他のディスプレイ技術に使用されている多くのやり方に類似している。
【００１８】
図２ないし５Ｂは、ディスプレイの応用に干渉変調器のアレイを使用する１つの例示的な処理およびシステムを示している。図２は、本発明の態様を取入れた電子装置の１つの実施形態を示すシステムブロック図である。例示的な実施形態では、電子装置はプロセッサ21を含み、プロセッサ21は、ＡＲＭ、Pentium（登録商標）、Pentium II（登録商標）、Pentium III（登録商標）、Pentium IV（登録商標）、Pentium（登録商標） Pro、８０５１、ＭＩＰＳ（登録商標）、Power PC（登録商標）、ＡＬＰＨＡ（登録商標）のような汎用のシングルチップまたはマルチチップのマイクロプロセッサであっても、あるいはディジタル信号プロセッサ、マイクロ制御装置、またはプログラマブルゲートアレイのような専用のマイクロプロセッサであってもよい。この分野において一般的であるように、プロセッサ21を、１つ以上のソフトウエアモジュールを実行するように構成されていてもよい。プロセッサは、オペレーティングシステムを実行することに加えて、ウエブブラウザ、電話アプリケーション、ｅメールプログラム、または他のソフトウエアアプリケーションを含む１つ以上のソフトウエアアプリケーションを実行するように構成されていてもよい。
【００１９】
１つの実施形態では、プロセッサ21は、アレイ制御装置22と通信するようにも構成される。１つの実施形態では、アレイ制御装置22は、行ドライバ回路24および列ドライバ回路26を含み、これらは信号を画素アレイ30に供給する。図１に示されているアレイの断面図は、図２の線１−１によって示されている。ＭＥＭＳ干渉変調器において、行／列動作プロトコルは、図３に示されているこれらの装置のヒステリシス特性を利用できる。例えば、可動層を解放状態から動作状態へ変形させるには、１０ボルトの電位差が必要である。しかしながら、電圧がその値から下がるとき、電圧が再び１０ボルトよりも低くなると、可動層はその状態を維持する。図３の例示的な実施形態では、電圧が２ボルト未満になるまで、可動層は完全には解放しない。したがって、図３に示されている例では、約３ないし７ボルトの電圧の範囲において、印加電圧のウインドウが存在し、このウインドウ内では、装置は解放状態または動作状態の何れかで安定する。この中では、これを“ヒステリシスウインドウ”または“安定性ウインドウ”と呼ぶ。図３のヒステリシス特性をもつ表示アレイでは、行ストロービング中に、動作になストローブされた行内の画素が、約１０ボルトの電圧差に露出され、解放される画素が、ゼロボルトに近い電圧差に露出されるように、行／列動作プロトコルを設計することができる。ストローブの後で、画素は、約５ボルトの定常状態の電圧差に露出され、行ストローブによって置かれた何れかの状態に留まる。各画素は、書かれた後で、この例では３ないし７ボルトの“安定性ウインドウ”内の電位差を認識する。この特徴のために、同じ印加電圧条件のもとで、図１に示されている画素の設計は、動作または解放の既存の状態で安定する。干渉変調器の各画素は、動作状態でも、または解放状態でも、本質的に、固定および可動反射層によって形成されるコンデンサであるので、ヒステリシスウインドウ内の電圧で、ほとんど電力を損失せずに、この安定状態を維持することができる。加えられる電位が一定であるときは、本質的に、電流は画素へ流れない。
【００２０】
一般的な応用では、表示フレームは、第１の行内の動作画素の希望の組にしたがって、列電極の組をアサートすることによって生成される。次に、行１の電極へ行パルスを加え、アサートされた列の線に対応する画素を動作する。次に、列電極のアサートされた組を、第２の行内の動作画素の希望に組に対応するように変更する。次に、パルスを行２の電極に加えて、アサートされた列電極にしたがって、行２内の適切な画素を動作する。行１の画素は、行２のパルスによって影響を受けず、行１のパルスの間、それらが設定された状態を維持する。これを一連の全ての行に対して連続的に反復し、フレームを生成する。一般に、この処理を毎秒希望数のフレームで連続的に反復することによって、フレームは新しい表示データでリフレッシュまたは更新、あるいはこの両者が行われる。画素アレイの行および列の電極を駆動して、表示フレームを生成するための多様なプロトコルもよく知られており、本発明と共に使用してもよい。
【００２１】
図４、５Ａ、および５Ｂは、図２の３×３のアレイ上に表示フレームを生成する１つの可能な動作プロトコルを示している。図４は、図３のヒステリシス曲線を示す画素に使用される列および行の電圧レベルの可能な組を示している。図４の実施形態では、画素を動作することは、適切な列を−Ｖｂｉａｓに、適切な行を＋ΔＶに設定することを含む。ここで、これらは、それぞれ−５ボルトおよび＋５ボルトに対応する。画素の解放は、適切な列を＋Ｖｂｉａｓに、適切な行を同じ＋ΔＶに設定し、画素を横切る電位差をゼロボルトにすることによって達成される。行電圧がゼロボルトに維持されている行において、画素は、最初にどのような状態にあったとしても、列が＋Ｖｂｉａｓであるか、または−Ｖｂｉａｓであるかに関らず、安定する。同じく図４に示されているように、上述とは異なる双極性の電圧を使用することができ、例えば、画素を動作することは、適切な列を＋Ｖｂｉａｓに、適切な行を−ΔＶに設定することを含むことが分かるであろう。この実施形態では、画素を解放することは、適切な列を−Ｖｂｉａｓに、適切な行を同じ−ΔＶに設定し、画素全体で電位差をゼロボルトにすることによって達成される。
【００２２】
図５Ｂは、図２の３×３のアレイに適用され、図５Ａに示されている表示の配置になる、一連の行および列信号を示すタイミング図である。ここで、動作画素は無反射である。図５Ａに示されているフレームを書く前に、画素は任意の状態であり、この例では、全行が０ボルトであり、全列が＋５ボルトである。全画素は、これらの電圧の印加で、既存の動作または解放状態で安定する。
【００２３】
図５Ａのフレームでは、画素（１，１）、（１，２）、（２，２）、（３，２）、および（３，３）が動作する。これを実現するために、行１の“線時間”中に、列１および２を−５ボルトに設定し、列３を＋５ボルトに設定する。全ての画素が３ないし７ボルトの安定性ウインドウに留まっているので、これは何れの画素の状態も変えない。次に、行１は、０ボルトから５ボルトになり、再び０ボルトに戻るパルスでストローブされる。これは、（１，１）および（１，２）の画素を動作し、（１，３）の画素を解放する。アレイ内の他の画素は影響を受けない。希望であれば、行２を設定するために、列２を−５ボルトに設定し、列１および３を＋５ボルトに設定する。次に、行２に印加された同じストローブは、画素（２，２）を動作し、画素（２，１）および（２，３）を解放する。ここでも、アレイの他の画素は影響を受けない。同様に、列２および３を−５ボルトに、列１を＋５ボルトに設定することによって、行３を構成する。行３のストローブは、図５Ａに示されているように、行３の画素を設定する。フレームを書いた後で、行の電位はゼロであり、列の電位は、＋５または−５ボルトに維持することができ、したがって、図５Ａの配置において、表示は安定している。何十または何百の行および列のアレイに同じ手順を採用できることが分かるであろう。行および列を動作するのに使用される電圧のタイミング、順番、およびレベルは、上述で概略的に示した一般的な原理の中で大きく異なってもよく、上述の例は単なる例示であり、本発明に任意の電圧動作方法を使用できることも分かるであろう。
【００２４】
上述で示した原理にしたがって動作する干渉変調器の構造の細部は、大きく異なってもよい。例えば、図６Ａないし６Ｃは、可動ミラー構造の３つの異なる実施形態を示している。図６Ａは、図１の実施形態の断面図であり、金属材料14のストリップが、直交して延在している支持体18上に蒸着されている。図６Ｂでは、可動反射材料14は、支持体に、その角部のみに、テザー32上を付けて取付けられている。図６Ｃでは、可動反射材料14は、変形可能な層34から吊り下げられている。反射材料14に使用される構造的設計および材料を、光特性に対して最適化し、かつ変形可能な層34に使用される構造的設計および材料を、希望の機械特性に対して最適化することができるので、この実施形態は有益である。例えば、米国公開出願第2004/0051929号を含む、種々の公開された文献には、種々のタイプの干渉計装置の生成が記載されている。一連の材料の蒸着、パターン化、およびエッチングのステップを含む多様な周知の技術を使用して、上述の構造が生成してもよい。
【００２５】
モノクロディスプレイ画像を示すデータは、１画素当りに１データビットを含む。モノクロディスプレイの１つの実施形態は、１画素当りに１干渉変調器を含み、変調器のオンまたはオフ状態は、１画素当りの１データビットの値に基づいて設定される。グレースケール画像は、１画素当りに数データビットを含む。例えば、“３ビット”のグレースケール表示は、１画素当りに３データビットを含み、これは、各画素に割り当てられた８階調の１つに対応する。例示的な３ビットのグレースケール画像を表示するディスプレイの１つの実施形態は、各画素に３つの干渉変調器を含む。８階調を得るために、３つの変調器は、１：２：４の割合にしたがって、光を反射する。１つのこのような実施形態では、各干渉変調器の各々は、１：２：４の割合にしたがって変化する反射表面領域をもつミラーを含む。このような実施形態において、画素内の個々の階調は、３ビットデータの中の対応するビットの二値に基づいて、各変調器をオンまたはオフ状態に設定することによって得られる。カラーディスプレイの１つの実施形態は、カラーディスプレイが赤、緑、および青の干渉変調器のグループを含むことを除いて、同様に動作する。例えば、１２ビットのカラーディスプレイにおいて、１２ビットの中の４ビットは、赤、緑、および青の干渉変調器によって生成される赤、緑、および青の１６輝度の各々に対応する。したがって、このようなグレースケールまたはカラーのディスプレイは、モノクロディスプレイよりも、取り扱う表示素子がより多い。
【００２６】
既に簡潔に記載したように、干渉変調器ディスプレイにおける電力消費は、ディスプレイ内の干渉変調器の表示素子の状態変化の関数である。したがって、表示素子の更新の頻度を変更することによって、このようなディスプレイの電力消費を変えることができる。さらに加えて、画素、または干渉変調器の組へ細分される画素の行をもつカラーまたはグレースケールの干渉変調器のディスプレイは、モノクロディスプレイと比べて、そのようなディスプレイにおける干渉変調器の数が増加しているために、電力消費が増加する傾向がある。
【００２７】
干渉ディスプレイの電力消費を低減する１つのやり方は、ディスプレイ内の表示素子の更新の頻度を低減することである。とくに、グレースケールまたはカラーのディスプレイにおいて、階調または色調データの最下位ビットに対応する表示素子を、残りの表示素子よりも低いレートで更新して、ディスプレイの電力消費を低減できることが分かった。
【００２８】
図７は、図２に示されているものに類似した、例示的な干渉変調器ディスプレイの部分的な模式図である。図７の実施形態では、画素アレイ30の各行は、３つの下位行（subrow）Ａ、Ｂ、およびＣに細分されている。下位行の各々は、各列における１つの干渉変調器の表示素子100を定めている。各下位行は、行ドライバ24に接続されている。図２と比べると、行ドライバ24は、下位行への追加の接続を含み、カラーまたはグレースケールの画素アレイ30を駆動する。図７において、各表示素子100は、例示的な反射状態（白抜き部）または吸収状態（ハッシュ部）で示されている。
【００２９】
図７の実施形態では、プロセッサ21は、ネットワークインターフェイス102と通信し、ネットワークインターフェイス102は、ネットワーク104上で内容サーバ106と通信する。ネットワークインターフェイス102は、適切なデータ通信ネットワーク上での通信を支援する。１つの実施形態では、ネットワークインターフェイス102は、符号分割多元接続（code division multiple access, CDMA）か、あるいは他の無線の音声および／またはデータの通信プロトコル、例えば、時分割多元接続（time division multiple access, TDMA）、周波数分割多元接続（frequency division multiple access, FDMA）、またはグローバル システム フォー モバイル コミュニケーションズ(Global System for Mobile Communications, GSM)を支援するセルラ無線トランシーバである。別の実施形態では、ネットワークインターフェイス102は、１つ以上の追加の、または代わりの、無線インターフェイスプロトコル（例えば、ブルトゥース、ＩＥＥＥ ８０２．１１、または他の無線プロトコル）を支援する。１つの実施形態では、ネットワークインターフェイス102は、ネットワークまたは他の計算機に接続されたワイヤードデータインターフェイス（例えば、イーサネット（登録商標）、シリアルポート、ユニバーサル シリアル バス（universal serial bus, USB）ポート、ファイアワイヤ、ＩＥＥＥ １３９４、同期クレードル）、またはＧＰＳ受信機へのインターフェイスを支援する。
【００３０】
ネットワーク104は、インターネットプロトコル（Internet Protocol, IP）ネットワーク、無線ネットワーク、または他の適切なデータ通信ネットワークを含む。内容サーバ106は、ネットワーク104上で伝送するのに適した任意のフォーマットの動画データを含む、画像データを伝送するように構成された任意の適切なコンピュータシステムを含む。
【００３１】
１つの実施形態では、アレイ制御装置22は、表示素子100の更新レートを制御する。プロセッサ21は、アレイ制御装置22のリフレッシュレートを構成する。１つの実施形態では、アレイ制御装置は、２つ以上の更新モードで動作するように構成されている。１つのモードでは、画素アレイ30の各行が、図５Ｂを参照して既に記載した方法を使用して更新される。第２のモードでは、下位行の少なくとも１つが、より低い頻度で更新される。例えば、１つの実施形態において、第２のモードでは、下位行ＡおよびＢは、毎秒３０回更新され、残りの行（例えば、下位行Ｃ）は、毎秒１回だけ更新される。したがって、電力消費は、第２の動作モードにおいて、より低い色解像度と、したがって色域との折り合いで低減される。別の実施形態では、例えば、残りの行（例えば、下位行Ｃ）のより低い更新頻度は、ディスプレイを初期設定するとき、またはモードを変更するときのみ、非常に低い。
【００３２】
１つの実施形態では、アレイ制御装置22は、一連の行電圧ストローブを各下位行に印加して、下位行の状態を構成することによって、表示素子100の行および下位行を更新するように構成されている。１つの実施形態では、第２のモードにおいて、アレイ制御装置22は、下位行のいくつかへの行電圧ストローブをスキップするように構成されている。例えば、１つの実施形態では、第１のモードにおいて、アレイ制御装置22は、一連の行電圧ストローブを、各行の下位行Ａ、Ｂ、およびＣの各々に印加する。第２のモードに切換えられると、アレイ制御装置22は、行電圧ストローブを、各行の下位行ＡおよびＢに印加するが、下位行Ｃをスキップする。１つの実施形態では、使用可能なバッテリ電力がより低くなると、例えば、行電圧ストローブを下位行Ａには印加するが、各行の下位行ＢおよびＣをスキップすることによって、アレイ制御装置22は、より多くの下位行をスキップする。１つの実施形態では、第２のモードに入ると、アレイ制御装置22は、一連の行電圧ストローブを印加して、更新されていない下位行の状態を、選択された状態（例えば、無反射）に構成する。１つの実施形態では、アレイ制御装置22は、このような下位行の表示素子100全体にバイアス電圧を印加することによって、更新されていない下位行を選択された状態に維持する。別の実施形態では、アレイ制御装置22は、第２のモードにおいて、行電圧ストローブを、別のやり方では更新されない下位行へ定期的に印加し、このような下位行内の表示素子100の状態を、新しい選択された状態に構成する。例えば、アレイ制御装置22は、下位行Ｃを定期的にスキップせずに、下位行Ｃ内の表示素子100を新しい選択された状態に更新する。行電圧ストローブを別のやり方では更新されない下位行へ定期的に印加する頻度は、行電圧ストローブを他の下位行へ印加する頻度よりも、相当により少ない。１つの実施形態では、より低い頻度の期間は不定である。１つの実施形態では、より低い頻度の期間は、画像データに基づき、画像データに基づいて変化する。
【００３３】
１つの実施形態では、例示的な実施形態においてより低い頻度で更新される下位行（例えば、行Ｃ）の表示素子100を全て同じ状態に設定する。１つのこのような実施形態では、より低い頻度で更新される下位行の表示素子は、無反射状態に設定される。別の実施形態では、より低い頻度で更新される下位行は、全体的な平均の視覚の階調または色調を表示するように設定される。この全体的な平均の視覚の階調または色調は、１つ以上の画像フレームまたはフレーム部分上で計算される一部または全ての表示素子100の平均輝度またはカラーに基づく。
【００３４】
別の実施形態では、表示素子のより低い頻度で更新される下位行の表示状態は、画像データストリームの個々の部分に基づく。例えば、動画データ（例えば、ＭＰＥＧデータ）は、比較的に低い頻度で送られる全ての画素を示す基準データフレームと、ビデオ画像の画素の一部分のみを更新する介入データフレームとを含む。1つの実施形態では、比較的に低い頻度で更新される下位行は、基準フレームが表示されるときのみ更新され、次の基準フレームが受信されるまで、特定の状態に維持される。特定の状態とは、既に記載したように、計算された状態か、または基準状態において比較的に低い頻度で更新される表示素子100の実際の状態である。
【００３５】
１つの実施形態では、追加のモードは、異なる数の下位行を異なる頻度で更新することを含む。例えば、１つの実施形態において、第１のモードでは、下位行Ａ、Ｂ、およびＣの各々を第１のレートで更新し、第２のモードでは、下位行ＡおよびＢを第１のレートで更新し、下位行Ｃを、より低いレートか、または受信するビデオの基準データフレームに基づいて既に記載したように、可変レートで更新し、第３のモードでは、下位行Ａを第１のレートで、下位行Ｂを第２のレートで、下位行を第３のレートで更新する。より多くの下位行をもつ実施形態では、可変の電力消費特性をもつ追加の動作モードが定められることが分かるであろう。
【００３６】
１つの実施形態では、例えば、電力をアレイ30に供給するバッテリ（図示されていない）からの、使用可能な電力レベルの状態が、閾値レベルよりも低くなるか、または他の所定の条件を満たすときに、アレイ制御装置22は表示モードを変更する。１つの実施形態では、プロセッサ21は、表示モードを変更するときを判断し、アレイ制御装置22に動作モードを変更する信号を送る。別の実施形態では、画素アレイ30を含む電子装置のユーザは、異なるモードへの変更を手動でトリガするか、または所定の条件のもとでモードを切換える装置を構成する。
【００３７】
この中では、ある特定の実施形態では、行ストローブをスキップすることによって表示解像度を低減することに関して、一方で、別の実施形態では、特定の列の更新をスキップして、電力消費を低減することを記載したことが分かるであろう。例えば、１つのこのような実施形態では、所与の列の画像データが行から行へ変わるときに、列電圧を遷移するのではなく、いくつかの列へ印加される電圧を、スキップした列の表示素子を動作状態または解放状態に維持する電位に保つ。例えば、図５の実施形態では、列の遷移がスキップされる列は、一定の０ないし５ボルトに維持されて、フレーム更新中に解放状態に留まるか、または一定の１０ないし１５ボルトに維持されて、フレーム更新中に動作状態に留まる。
【００３８】
１つの実施形態では、ディスプレイアレイ30によって表示される画像データは、ネットワーク104上で内容サーバ106から受信されるデータを含む。１つの実施形態では、プロセッサ21は、アレイ制御装置によって使用される現在の表示モードを示すデータを、内容サーバ106へ通信する。したがって、内容サーバ106は、画像データをフィルタにかけて、更新されていない表示素子の画像データが送られないようにする。したがって、通信されたデータ信号によって消費される全バンド幅を、最速の表示レートで更新されていない表示素子の数に比例して低減する。データレートをこのように低減すると、ネットワークインターフェイス102およびプロセッサ21が、より少ない処理データをもつので、ディスプレイと関係付けられる電力消費も低減する。１つの実施形態では、内容サーバ106は、より少ない頻度で更新される下位行の状態、階調、または色を判断して、更新間で表示し、その状態をプロセッサ21へ通信する。
【００３９】
ディスプレイの動作モードに基づいてデータレートを変更することに加えて、内容サーバ106は、アレイ30の動作モードを制御または選択する。例えば、ディスプレイアレイ30または制御装置22と関係付けられる動作または電力データのような、内容サーバ106にとって使用可能な情報に基づいて、内容サーバ106は、アレイ30の動作モードを選択するための制御データをプロセッサ21へ送る。内容サーバ106は、記憶されたユーザの好み、内容と関係付けられる規則、またはネットワーク104上の希望のデータ転送レートのような他のデータに基づいて、動作モードを選択してもよい。
【００４０】
図８Ａおよび８Ｂは、ディスプレイ装置2040の実施形態を示すシステムブロック図である。ディスプレイ装置2040は、例えば、セルラまたは移動電話である。しかしながら、ディスプレイ装置2040の同じ構成要素またはそれらを僅かに変更したものは、テレビジョンおよびポータブルメディアプレーヤのような、種々のタイプのディスプレイ装置も示す。
【００４１】
ディスプレイ装置2040は、ハウジング2041、ディスプレイ2030、アンテナ2043、スピーカ2045、入力装置2048、およびマイクロフォン2046を含む。ハウジング2041は、一般的に、射出成形および真空成形を含む、当業者によく知られている種々の製造処理の何れかから形成される。さらに加えて、ハウジング2041は、制限はしないが、プラスチック、金属、ガラス、ゴム、セラミック、またはその組み合わせを含む種々の材料の何れかから作られる。１つの実施形態では、ハウジング2041は、取り外し可能な部分（図示されていない）を含み、異なる色の、あるいは異なるロゴ、絵、または記号を含む他の取り外し可能な部分と交換できる。
【００４２】
例示的なディスプレイ装置2040のディスプレイ2030は、この中に記載されている双安定ディスプレイを含む、種々のディスプレイの何れかである。他の実施形態では、ディスプレイ2030は、これまでに記載した、プラズマ、ＥＬ、ＯＬＥＤ、ＳＴＮ ＬＣＤ、またはＴＦＴ ＬＣＤのようなフラットパネルディスプレイ、あるいは当業者によく知られている、ＣＲＴまたは他のチューブ装置のような非フラットパネルディスプレイを含む。しかしながら、この実施形態を記載するために、ディスプレイ2030は、この中に記載されている干渉変調器ディスプレイを含む。
【００４３】
例示的なディスプレイ装置2040の１つの実施形態の構成要素は、図８Ｂに模式的に示されている。図示されている例示的なディスプレイ装置2040は、ハウジング2041を含み、ハウジング2041の中に少なくとも一部が入れられている追加の構成要素を含むことができる。例えば、１つの実施形態では、例示的なディスプレイ装置2040はネットワークインターフェイス2027を含み、ネットワークインターフェイス2027はアンテナ2043を含み、アンテナ2043はトランシーバ2047に接続されている。トランシーバ2047はプロセッサ2021に接続され、プロセッサ2021は調整ハードウエア2052に接続されている。調整ハードウエア2052は、信号を調整する（例えば、信号をフィルタにかける）ように構成される。調整ハードウエア2052は、スピーカ2045およびマイクロフォン2046に接続されている。プロセッサ2021は、入力装置2048およびドライバ制御装置2029にも接続されている。ドライバ制御装置2029は、フレーム緩衝器2028およびアレイドライバ2022に接続され、アレイドライバ2022は、ディスプレイアレイ2030に接続されている。電源2050は、特定の例示的なディスプレイ装置2040の設計によって要求されるように、全ての構成要素に電力を供給する。
【００４４】
ネットワークインターフェイス2027は、アンテナ2043およびトランシーバ2047を含み、したがって例示的なディスプレイ装置2040は、ネットワーク上で１つ以上の装置と通信することができる。１つの実施形態では、ネットワークインターフェイス2027が、若干の処理能力ももち、プロセッサ2021の要件を緩和する。アンテナ2043は、信号を送受信するための、当業者に知られている任意のアンテナである。１つの実施形態では、アンテナは、IEEE 802.11(a)、(b)、または(g)を含むIEEE 802.11標準にしたがって、ＲＦ信号を送受信する。別の実施形態では、アンテナは、ブルートゥースの標準にしたがって、ＲＦ信号を送受信する。セルラ電話の場合は、アンテナは、ＣＤＭＡ、ＧＳＭ、ＡＭＰＳ、または無線セル電話ネットワーク内で通信するのに使用される他の既知の信号を受信するように設計される。トランシーバ2047は、アンテナ2043から受信した信号を前処理し、プロセッサ2021がそれらを受信し、さらに処理する。また、トランシーバ2047が、プロセッサ2021から受信した信号を処理し、信号が例示的なディスプレイ装置2040からアンテナ2043を介して送信されることもある。
【００４５】
別の実施形態では、トランシーバ2047を受信機と置換することができる。また別の実施形態では、画像データを記憶または生成して、プロセッサ2021へ送ることができる画像源と、ネットワークインターフェイス2027を置換することができる。画像源は、例えば、画像データを含むディジタルビデオディスク（digital video disc, DVD）またはハードディスクドライブ、あるいは画像データを生成するソフトウエアモジュールであってもよい。
【００４６】
プロセッサ2021は、一般に、例示的なディスプレイ装置2040の全動作を制御する。プロセッサ2021は、ネットワークインターフェイス2027または画像源から、圧縮画像データのようなデータを受信し、このデータを、生の画像データか、または生の画像データへ容易に処理されるフォーマットへ処理する。次に、プロセッサ2021は、処理されたデータをドライバ制御装置2029か、またはフレーム緩衝器2028へ送って、記憶させる。生のデータは、一般に、画像内の各位置における画像特性を識別する情報を指す。例えば、このような画像特性は、色、飽和度、グレースケールレベルを含むことができる。
【００４７】
１つの実施形態では、プロセッサ2021は、マイクロ制御装置、ＣＰＵ、または論理ユニットを含み、例示的なディスプレイ装置2040の動作を制御する。調整ハードウエア2052は、一般に、信号をスピーカ2045へ送信し、かつ信号をマイクロフォン2046から受信するための増幅器およびフィルタを含む。調整ハードウエア2052は、例示的なディスプレイ装置2040内のディスクリートな構成要素であっても、またはプロセッサ2021または他の構成要素内に組込まれていてもよい。
【００４８】
ドライバ制御装置2029は、プロセッサ2021によって生成された生の画像データを、プロセッサ2021から直接に、またはフレーム緩衝器2028から取込み、生の画像データを適切に再フォーマットして、アレイドライバ2022へ高速で送信する。具体的には、ドライバ制御装置2029は、生の画像データを、表示アレイ2030全体を走査するのに適した時間順をもつように、ラスタのようなフォーマットをもつデータ流へ再フォーマットする。その後で、ドライバ制御装置2029は、フォーマットされた情報をアレイドライバ2022へ送る。ＬＣＤ制御装置のようなドライバ制御装置2029は、スタンドアローン型集積回路（Integrated Circuit, IC）のようなシステムプロセッサ2021と関係付けられることが多いが、このような制御装置は多くのやり方で構成される。これらは、プロセッサ2021内にハードウエアとして埋め込まれても、プロセッサ2021内にソフトウエアとして埋め込まれても、またはハードウエアにおいてアレイドライバ2022と完全に統合されてもよい。
【００４９】
一般に、アレイドライバ2022は、ドライバ制御装置2029から、フォーマットされた情報を受信し、ビデオデータを並列の組の波形へ再フォーマットし、これらは、ディスプレイのｘ−ｙの行列の画素からの数百、ときには、数千本のリード線へ毎秒何度も加えられる。
【００５０】
１つの実施形態では、ドライバ制御装置2029、アレイドライバ2022、および表示アレイ2030は、この中に記載されている任意のタイプのディスプレイに適している。例えば、１つの実施形態では、ドライバ制御装置2029は、従来のディスプレイ制御装置または双安定ディスプレイ制御装置（例えば、干渉変調器制御装置）である。別の実施形態では、アレイドライバ2022は、従来のドライバまたは双安定ディスプレイドライバ（例えば、干渉変調器ディスプレイ）である。１つの実施形態では、ドライバ制御装置2029は、アレイドライバ2022と統合される。このような実施形態は、セルラ電話、腕時計、および他の小面積のディスプレイのような、高統合システムにおいて共通である。また別の実施形態では、表示アレイ2030は、一般の表示アレイまたは双安定表示アレイ（例えば、干渉変調器のアレイを含むディスプレイ）である。
【００５１】
入力装置2048は、ユーザが例示的なディスプレイ装置2040の動作を制御するのを可能にする。１つの実施形態では、入力装置2048は、ＱＷＥＲＴＹキーボードまたは電話のキーパッドのようなキーパッド、ボタン、スイッチ、タッチセンシティブスクリーン、圧感または温感メンブレンを含む。１つの実施形態では、マイクロフォン2046は、例示的なディスプレイ装置2040のための入力装置である。マイクロフォン2046を使用して、データを装置へ入力するとき、ユーザは、音声命令を与えて、例示的なディスプレイ装置2040の動作を制御する。
【００５２】
電源2050は、この分野においてよく知られている種々のエネルギー蓄積装置を含むことができる。例えば、１つの実施形態では、電源2050は、ニッケルカドミウム電池またはリチウムイオン電池のような充電式電池である。別の実施形態では、電源2050は、再生可能なエネルギー源、コンデンサ、またはプラスチック太陽電池および太陽電池塗料を含む太陽電池である。別の実施形態では、電源2050は、壁付きコンセントから電力を受信するように構成されている。
【００５３】
いくつかの実行では、既に記載したように、制御プログラミング性は、電子ディスプレイシステム内の幾つかの場所に配置することができるドライバ制御装置内にある。場合によっては、制御プログラミング性は、アレイドライバ2022内にある。当業者には、上述の最適化が、多数のハードウエア構成要素またはソフトウエア構成要素、あるいはこの両者、および種々の構成において実行されることが分かるであろう。
【００５４】
上述の詳細な記述では、種々の実施形態に適用された斬新な特徴を示し、記載し、指示してきたが、当業者には、本発明の技術的範囲から逸脱することなく、示されている装置または処理の形態および細部において種々の省略、置換、および変更をしてもよいことが分かるであろう。この中に記載されている一部の特徴は、他の特徴と切り離して、使用または実行されるので、本発明は、これらの特徴および長所の全てをもっていない形の中で具現されることもあることが分かるであろう。本発明の技術的範囲は、これまでの記述によってではなく、特許請求項によって示されている。特許請求項と同等の意味および範囲内に入る全ての変更は、その技術的範囲内に含まれる。
【図面の簡単な説明】
【００５５】
【図１】第１の干渉変調器の可動反射層が解放位置にあり、第２の干渉変調器の可動反射層が動作位置にある、干渉変調器ディスプレイの１つの実施形態の一部分を示す等角投影図。
【図２】３×３の干渉変調器ディスプレイを組込んだ電子装置の１つの実施形態を示すシステムブロック図。
【図３】図１の干渉変調器の１つの例示的な実施形態における可動ミラーの位置対印加電圧のグラフ。
【図４】干渉変調器ディスプレイを駆動するのに使用される１組の行および列電圧の表。
【図５Ａ】図２の３×３の干渉変調器ディスプレイ内の表示データの１つの例示的なフレームを示す図。
【図５Ｂ】図５Ａのフレームを書くのに使用される行および列信号の１つの例示的なタイミング図。
【図６Ａ】図１の装置の断面図。
【図６Ｂ】干渉変調器の別の実施形態の断面図。
【図６Ｃ】干渉変調器のさらに別の実施形態の断面図。
【図７】図２に示されているものに類似した、例示的な干渉変調器ディスプレイの部分的なシステムブロック図。
【図８Ａ】複数の干渉変調器を含むビジュアルディスプレイ装置の実施形態を示すシステムブロック図。
【図８Ｂ】複数の干渉変調器を含むビジュアルディスプレイ装置の実施形態を示すシステムブロック図。
【符号の説明】
【００５６】
12・・・干渉変調器、14,16・・・反射層、18・・・支柱、19・・・空洞、20・・・透明基板、30・・・パネル、32・・・テザー、34・・・変形可能な層、40,100・・・ディスプレイ装置、41・・・ハウジング。
【図１】
2006099106.tif 000003
【図２】
2006099106.tif 000004
【図３】
2006099106.tif 000005
【図４】
2006099106.tif 000006
【図５Ａ】
2006099106.tif 000007
【図５Ｂ】
2006099106.tif 000008
【図６Ａ】
2006099106.tif 000009
【図６Ｂ】
2006099106.tif 000010
【図６Ｃ】
2006099106.tif 000011
【図７】
2006099106.tif 000012
【図８Ａ】
2006099106.tif 000013
【図８Ｂ】
2006099106.tif 000014
【外国語明細書】
2006099106000001.pdf